(57)【要約】【課題】基板内径孔からの吸湿をより効果的に防止でき、また、ホログラム記録材料充填時に材料内に気泡が発生しにくい構成を有するホログラム記録媒体を提供する。【解決手段】本発明におけるホログラム記録媒体は、ホログラム記録材料を平面基板間に充填してなるホログラム記録媒体に関する。そして、このホログラム記録媒体は、ホログラム記録媒体を記録再生装置に固定するための固定用孔と、プレート収納部とを中央部周辺に有する下基板と、プレート収納部に収納される、下基板と同等以上の剛性を有するプレートと、プレートがプレート収納部に収納された下基板とともに、ホログラム記録材料を保持する上基板と、を備えている。【選択図】図１
2007272069.tif 000002
【特許請求の範囲】
【請求項１】
ホログラム記録材料を平面基板間に充填してなるホログラム記録媒体であって、
前記ホログラム記録媒体を記録再生装置に固定するための固定用孔と、プレート収納部とを中央部周辺に有する下基板と、
前記プレート収納部に収納される、前記下基板と同等以上の剛性を有するプレートと、
前記プレートが前記プレート収納部に収納された下基板とともに、前記ホログラム記録材料を保持する上基板と、
を備えることを特徴とするホログラム記録媒体。
【請求項２】
前記プレート収納部は、前記下基板の内側中央部周辺に設けられた凹形状領域であることを特徴とする請求項１に記載のホログラム記録媒体。
【請求項３】
前記下基板は、その外側であって前記固定用孔付近に凸形状部を有することを特徴とする請求項１又は２に記載のホログラム記録媒体。
【請求項４】
前記凹形状領域は前記プレートが丁度嵌る大きさであり、前記プレートの端部の厚さと前記凹形状領域の段差は同等の寸法となっていることを特徴とする請求項２に記載のホログラム記録媒体。
【請求項５】
前記プレートは、凸形状をなしていることを特徴とする請求項１乃至４の何れか１項に記載のホログラム記録媒体。
【請求項６】
前記プレートは、磁性金属であることを特徴とする請求項１乃至５の何れか１項に記載のホログラム記録媒体。
【請求項７】
前記プレートは、前記ホログラム記録材料によって前記下基板に固定されていることを特徴とする請求項１乃至６の何れか１項に記載のホログラム記録媒体。
【請求項８】
ホログラム記録材料を平面基板間に充填してなるホログラム記録媒体であって、
中央部周辺を内側に凸形状とすることにより、前記ホログラム記録媒体を記録再生装置に固定するための固定用孔が形成された下基板と、
前記下基板とともに、前記ホログラム記録材料を保持する上基板と、
を備えることを特徴とするホログラム記録媒体。
【請求項９】
ホログラム記録材料を平面基板間に充填してなるホログラム記録媒体の製造方法であって、
前記ホログラム記録媒体を記録再生装置に固定するための固定用孔と、プレート収納部とを中央部周辺に有する下基板を用意し、前記下基板と同等以上の剛性を有するプレートを前記プレート収納部に収納する工程と、
前記ホログラム記録材料を前記プレートが収納された下基板に注入する工程と、
上基板で前記注入したホログラム材料を押下し、前記ホログラム記録媒体全体を所定の厚さに調整する工程と、
を備えることを特徴とするホログラム記録媒体の製造方法。
【請求項１０】
ホログラム記録材料を平面基板間に充填してなるホログラム記録媒体の製造方法であって、
前記ホログラム記録媒体を記録再生装置に固定するための固定用孔と、プレート収納部とを中央部周辺に有する下基板を用意し、前記下基板と同等以上の剛性を有するプレートを前記プレート収納部に収納する工程と、
前記プレートを収納した下基板と、ホログラム記録材料を注入するための注入口を有する上基板とを所望の厚さに固定する工程と、
前記上基板の前記注入口から前記ホログラム記録材料を注入する工程と、
を備えることを特徴とするホログラム記録媒体の製造方法。
【発明の詳細な説明】
【技術分野】
【０００１】
本発明は、ホログラム記録媒体に関し、特に基板のホログラム記録材料と接する面にプレートを有するホログラム記録媒体に関するものである。
【背景技術】
【０００２】
情報記録媒体、所謂ＤＶＤを初めとする光ディスクやＨＤＤを初めとする磁気ディスクの発展はここ近年、デジタル放送やデジタルハイビジョンの影響も相まって、急速な高容量化、高転送速度化の方向に進んでいる。なかでも、ホログラム記録媒体はその際だった高記録容量、高転送レート、ランダムアクセス性などの特徴からＨＤ−ＤＶＤやＢｌｕ−ｒａｙＤｉｓｃ（以下ＢＤと略す）の次の世代のアーカイブ用途記録媒体として、ここ数年の間に高い注目を浴びてきている。
【０００３】
ＤＶＤやＢＤなどの従来ディスクにおいて、記録容量を増大する方法としては、記録膜の多層化、記録再生レーザの短波長化、狭トラックピッチ化等挙げられるが、これらは技術的に限界が見え始めている。
【０００４】
近年、注目を浴びているホログラム記録媒体は、光の干渉、回折現象を利用した記録媒体であり、参照光と情報（又は信号）光と呼ばれる２つの光の干渉パターンを記録媒体内部に立体的に記録できる記録媒体である。
【０００５】
データ記録はＣＤやＤＶＤ同様、元データを「０」「１」のデジタルデータに変換することから始まる。「０」「１」に変換されたデータは、ページ単位に並べられ空間変調器によって白黒の２次元バーコード状データに変換される。この２次元バーコードを通過した光はデータを含んだ情報光となり、情報記録材料上で参照光と交差することにより、ホログラム記録媒体に記録される。さらに、この参照光と情報光の交差角度を変えることにより、同位置に異なるデータを記録できる。
【０００６】
一方、データ再生は、参照光のみを使用する。情報を記録したときと同じ角度をもって参照光を入射すると、記録されているホログラムは回折格子として働き、記録されている白黒データを導きだす。導きだされた白黒データは２次元ディテクターによって「０」「１」のページデータとして検出される。この「０」「１」データを復調することによって、再生が完了する。
【０００７】
以上は、角度多重方式のホログラム記録媒体の記録再生原理を述べたものであって、この他に位置を変えるシフト多重方式、レーザ光の波長を変える波長多重方式などがある。
【０００８】
上述したように、ホログラム記録媒体は同一位置に異なるデータを記録できる、データをページ単位で記録できる点から、大容量記録、高データ転送率が期待でき、次世代大容量記録媒体としての期待度が高い。
【０００９】
図３及び図４は、従来型のディスク形状ホログラム記録媒体の一例である。図３ａはハブ無しタイプのホログラム記録媒体２０１の斜視図であり、図３ｂは同ハブ無しタイプのホログラム記録媒体２０１の断面図である。他方、図４はハブ付きタイプのホログラム記録媒体３０１であり、インサート成形法（図示無し）によるハブが接着してある点で図３のハブ無しホログラム記録媒体２０１とは異なる。なお、ここでハブとは、ディスクにおけるＸＹ方向の位置決め用の穴を有する部品をいうものとする。
【００１０】
ハブ無しホログラム記録媒体２０１はホログラム記録材料２０２と２枚の円盤基板２０３Ａ、２０３Ｂ、および封止用フィルム２０４Ａ、２０４Ｂ、２０５（フィルムに金属コーティングがなされているが剛性は有しない）より構成されている。そして、ホログラム記録材料２０２は射出成形法（図示無し）によって成形された２枚の円盤基板２０３Ａ、２０３Ｂにより挟まれたサンドウィッチ構造をなしている。封止用フィルム２０４Ａ、２０４Ｂはホログラム記録材料２０２注入時の材料もれ防止と外気水分からホログラム記録材料２０２を防止する用途として円盤基板２０３Ａ、２０３Ｂの記録材料２０２と接する面に貼り付けられており、同じく封止用フィルム２０５は外気水分からホログラム記録材料２０２を防止する目的で装着されている。なお。図３ａでは、ホログラム記録媒体２０２の構造を分かりやすくするために、外周の封止フィルム２０５は省略してある。
【００１１】
ホログラム記録材料２０２には、一般的に銀塩乳剤、重クロム酸ゼラチンなどが使われているが、近年は、特許文献１に示すような光反応性樹脂、所謂、フォトポリマー系の記録材料が主流を占めつつある。
【００１２】
また、円盤基板２０３にはＣＤやＤＶＤに使用されている光ディスク用熱可塑性プラスチックを射出成形して作製されることが多い。ここ近年では、アクリルやポリカーボネート樹脂に代わり、非晶質の環状オレフィン樹脂が使われるケースもある。また、時としてガラス円盤を用いることもある。
【００１３】
封止用フィルム２０４Ａ、２０４Ｂ、２０５はポリエチレンフィルムなど薄膜フィルムなどが用いられることが多いが、水分透過防止用として薄膜金属を蒸着しているケースが多い。内径部の封止用フィルム２０４Ａ、２０４Ｂは予め円形状に切り取られており、外周封止用フィルム２０５はテープ上にスリットされたものをディスク外径に沿って装着される。
【００１４】
図４に示されたハブ付きホログラム記録媒体３０１も、基本的にはハブ無しホログラム記録媒体２０１と同様の構造をとっており、円盤基板３０３Ｂの表面にハブ３０６が付加されている点が異なる。
【００１５】
ハブ３０６は、ＭＯディスク等に使用されるハブと同構造をしており、インサート成形法（図示無し）により成形される。ハブ３０６は、ホログラム記録媒体の製造方法によって、予め円盤基板３０３に装着される場合と貼り合わせ工程の後に装着される場合とがある。
【００１６】
このハブ３０６の有無によって、ホログラム記録媒体が記録再生装置（図示無し）にチャッキングされる方法が異なっている。ハブ無しホログラム記録媒体２０１は、ＣＤやＤＶＤのように円盤基板内径孔による芯だしとクランプ方式のチャッキング方法を採用している。他方、ハブ付きホログラム記録媒体３０１では、ハブの中心孔による芯だしと磁気吸着クランプ方式を採用している。ハブは磁性金属で構成されており、スピンドルに搭載されたマグネットによって磁気吸着される。
【００１７】
これらホログラム記録媒体は、前述したようにサンドウィッチ構造をとっているため、その製造方法も各種提案されている。特許文献２に示される方法は、ホログラム記録媒体用円盤基板２０３Ｂの上にホログラム記録材料２０２を注入した後に別の円盤基板２０３Ａを重ね合わせる方法であり、他方、特許文献３は２枚の円盤基板２０３Ａ、２０３Ｂの隙間に記録材料２０２を充填する方法を紹介している。
【００１８】
また、前述したように、近年ではホログラム記録媒体に主としてフォトポリマーが使用されているため、上述した製造方法は安全光下のもとで作製される必要がある。このため作製された後のホログラム記録媒体２０１、３０１は特許文献４に示すような遮光性に優れたカートリッジに収められることになる。
【００１９】
更に、最近では、特許文献５で示されるように、カートリッジあたりの記録容量を増やすために１つのカートリッジ内部に複数のディスクを収納する方法も提案されており、ジュークボックス等の応用例も提案されている。
【００２０】
【特許文献１】特表２００４−５３７６２０
【特許文献２】特開２００１−５３６８
【特許文献３】特開２００５−１７５８９
【特許文献４】特開２００５−２４３１２９
【特許文献５】特開２００５−１７４５１５
【発明の開示】
【発明が解決しようとする課題】
【００２１】
しかしながら、特許文献１でフォトポリマー系の記録材料が提案されているものの、未だに完全なものは開発されておらず、吸水吸湿などの問題点を抱えており、前述した封止剤の検討も積極的に行われている。例えば、図３のような封止フィルム２０４Ａ及び２０４Ｂを用いた場合、フィルム自体柔らかいのでホログラム記録材料を充填する際にしわができて材料内に気泡が発生する危険性がある。また、フィルムを接着剤等で基板に固定する工程がどうしても必要になってしまう。
【００２２】
また、特許文献３のような方法を採用する際には、ホログラム記録媒体２０１の内径孔から記録材料２０２を充填する際にホログラム記録媒体２０１内部に気泡が入り込みやすく、これに対する対策をする必要もある。
【００２３】
本発明は上述の問題点を解決するためになされたものであり、基板内径孔からの吸湿をより効果的に防止でき、また、ホログラム記録材料充填時に材料内に気泡が発生しにくい構成を有するホログラム記録媒体を提供するものである。
【課題を解決するための手段】
【００２４】
上記の目的を達成するため、本発明におけるホログラム記録媒体は、ホログラム記録材料を平面基板間に充填してなるホログラム記録媒体に関するものである。そして、このホログラム記録媒体は、ホログラム記録媒体を記録再生装置に固定するための固定用孔と、プレート収納部とを中央部周辺に有する下基板と、プレート収納部に収納される、下基板と同等以上の剛性を有するプレートと、プレートがプレート収納部に収納された下基板とともに、ホログラム記録材料を保持する上基板と、を備えている。
【００２５】
つまり、本発明によるホログラム記録媒体では、円盤基板の中央部、ホログラム記録媒体材料と接する面とは反対側の面にディスクを回転させるための部品として設けられていたハブを使用していない。その代替機構として、ホログラム記録媒体用円盤基板の成形時に発生する樹脂充填スプールを打抜いた貫通孔をもってチャッキング、芯合わせを行うようにしている。
【００２６】
さらなる本発明の特徴は、以下本発明を実施するための最良の形態および添付図面によって明らかになるものである。
【発明の効果】
【００２７】
本発明によれば、基板内径孔からの吸湿をより効果的に防止でき、また、ホログラム記録材料充填時に材料内に気泡が発生しにくい構成を有するホログラム記録媒体を提供することができる。
【発明を実施するための最良の形態】
【００２８】
以下に本発明のホログラム記録媒体の実施例を、図を参照にしながら具体的に説明する。ただし、図に示された構成はほんの一例に過ぎず、本発明はこれに限定されるものではない。
【００２９】
本発明は、基板内径孔部付近に、ホログラム記録材料が外気と接しないように金属プレートを挿入することにより、基板内径孔からの吸湿を防止し、また、金属プレートを磁性金属にすることにより、スピンドルとのクランプ力を補助するものである。さらに、金属プレートの形状を工夫して、ホログラム記録材料注入時の気泡の発生を防止し、また、基板の形状に工夫を加えることで、ホログラム記録媒体の厚みを薄く出来、しかも工程少なくするものである。
【００３０】
＜ホログラム記録媒体１０１の構造について＞
図１は、本実施形態のホログラム記録媒体の断面を示す図である。図１におけるホログラム記録媒体１０１は、ホログラム記録材料１０２、平坦円盤基板１０３、段差円盤基板１０４、内周封止フィルム１０５、外周封止フィルム１０６、金属プレート１０７より構成されている。
【００３１】
ホログラム記録媒体１０１の基本的な構造は、従来ホログラム記録媒体と同じ様にホログラム記録材料１０２とホログラム記録媒体用円盤基板１０３、１０４によるサンドウィッチ構造を有する。
【００３２】
ホログラム記録材料１０２として、フォトポリマー系記録材料を使用した。具体的には米国ＩｎＰｈａｓｅ社製ＴａｐｅｓｔｒｙＴＭ  ＨＤＳ５０００であるが、使用するフォトポリマーはこの限りではない。本記録材料を（株）エイ・エム・ケイ製ディスペンサ（図示なし）によって充填した。本装置もこれに限るものではなく、他の方法による材料注入でも可能である。
【００３３】
ホログラム記録媒体用円盤基板のうち、平坦円盤基板１０３は日本ゼオン（株）製非晶性環状オレフィン樹脂を使用した。ＣＤ、ＤＶＤと同様に住友重機械工業（株）製の射出成形機により作製した。本実施例で作製したホログラム記録媒体用円盤基板１０１の外径寸法はφ１３０ｍｍ、内径寸法Ｘはφ１５ｍｍである。段差円盤基板１０４も同様の手法で段差形状用金型（図示なし）を使用し段差量は０．５ｍｍで成形した。段差基板の段差凸部外径Ｙはφ２２ｍｍ、凹部外径Ｚはφ２０ｍｍとした。実際には、凹部外径は２０ｍｍより若干大きめとしており、金属プレート１０７が収まり易いようにした。段差円盤基板１０４の内外径寸法は平坦円盤基板１０３と同寸法とした。ホログラム記録媒体用円盤基板も本実施例に限るものでなく、通常の光ディスク用途に使用されるポリカーボネートやＰＭＭＡ、ガラス等の材料も使い得るし、射出成形機もこれに限ったものではない。
【００３４】
内外周封止フィルム１０５、１０６はアルミ蒸着したポリエチレンフィルムを使用し、ホログラム記録材料を充填後に貼り付けた。
【００３５】
金属プレートには、４００番代の磁性ステンレスを使用し、プレス加工によって凸形状を作製した。金属プレート１０７の外径寸法はφ２０ｍｍ、厚み０．５ｍｍ、凸量０．５ｍｍとした。金属プレートの固定方法は記録材料の固化によってなされ、予め段差円盤基板１０４にセットした後、記録材料１０２を充填、固化させ、固定した。
【００３６】
本実施形態によるホログラム記録媒体１０１は、ホログラム記録媒体用段差円盤基板１０４の中央部、ホログラム記録材料１０２と接する面側の円盤に接するように金属プレート１０７を配置する。これにより、ホログラム記録材料が外気環境と直接接することを防止し、ホログラム記録材料の湿度劣化を防止する。
【００３７】
また、本実施形態によるホログラム記録媒体１０１は、段差円盤基板１０４の中央部に金属プレート１０７を収納するための凹形状を有し、前記金属プレート１０７がその凹部に嵌って収まることにより、記録材料充填時に金属プレート１０７が記録材料の流れによって移動するのを防止している。凹形状を有するプレート収納部１０９に収納されるプレートは、磁性を有する金属とするのがチャッキング時のクランピング力を生じさせるには適している。しかし、クランピング力をそれほど必要としない場合、或いは記録再生装置のチャッキング部材のバネ力で記録媒体を保持できる場合には、プレートを磁性を有する金属プレートとする必要はなく、下基板１０４と同等以上の剛性を有する材料によるプレートであればよい。
【００３８】
さらに、ホログラム記録媒体用段差円盤基板１０４は、金属プレート１０７が収まる凹部と相対する面（媒体載置面１０８）が僅かな凸形状（段差は例えば０．５ｍｍ）となっているため、カートリッジ内部に複数の記録媒体を収納した際、お互いに貼り付き合うのを防止できる。
【００３９】
なお、ホログラム記録媒体１０１に使用されているホログラム記録材料１０２は、化学反応による経時硬化性を有している。従って、ホログラム記録材料１０２自身によって金属プレート１０７を固定する場合には、金属プレート１０７の接着に接着剤やＵＶ樹脂等を必要とせず、金属プレート接着工程が必要ない。しかも、金属プレート１０７が磁性金属の場合には、磁気スピンドルとの磁気引力によって、ホログラム記録媒体１０１のスピンドル（図示なし）に対するクランプ力を補うことが出来る。しかも、内径孔でチャッキングすることによってハブが必要ないため、工程の簡略化にもなる。つまり、図４に示すようなハブ３０６を取り付ける場合には、そのハブを記録媒体（ディスク）の中心にあわせて取り付けなければならない。本実施形態ではハブ取り付けの必要が無いため、ハブの中心と記録媒体の中心を合わせるという精度が必要とされる困難な工程が不要となるのである。
【００４０】
また、金属プレート１０７としては、平坦なプレートを使用しても一定の効果を奏することはできるが、金属プレート１０７をプレス加工によって凸形状に構成すれば、平坦な金属プレートを使用する場合と比べて、スピンドルヘッド（図示なし）と金属プレート１０７との隙間が広がるので、ホログラム記録媒体１０１をスピンドル（図示なし）に装着する際にスピンドルヘッド（図示なし）と金属プレート１０７の干渉がなくなり、安定したチャッキングが可能となる。
【００４１】
さらに、この金属プレート１０７の厚みを凹部の段差と同じ寸法にすることにより、また、プレート凸形状、かつその凸部の角度（金属プレート１０７の絞り角度）をなだらかにしてスロープを持たせることにより、ホログラム媒体１０１内における気泡の発生率を抑えることが期待できる。気泡の発生は、記録材料１０２注入時の樹脂流れによるものと考えることが出来るので、この効果は平坦円盤基板１０３の内径角の面取りによってもみられる。
【００４２】
以上のように、本実施形態によるホログラム記録媒体では、基板内径孔部に金属プレートを挿入することにより、基板内径孔からの吸湿を防止出来、この金属プレートを磁性金属にすることにより、スピンドルとのクランプ力を補助することができる。また、金属プレートの形状を工夫することにより、ホログラム記録材料注入時の気泡の発生を防止することができる。さらに、下基板に僅かな凸形状を設けることで、ホログラム記録媒体の厚みを薄く出来、しかも媒体の製造工程を簡略化することができるという効果がある。また、ホログラム記録媒体の厚さを、ハブを用いた場合よりも薄くすることができるので、１つのカートリッジ内部により多くの枚数のホログラム記録媒体を収納することができるようになる。
【００４３】
また、前述したようにホログラム記録媒体には、ホログラム記録媒体本来の記録再生特性のほかにも種々の特性が要求されている。記録材料自身が吸水吸湿しやすいがために、ホログラム記録媒体には封止、シールなど耐湿特性が要求されるし、記録再生装置へのチャッキング、クランピングの構成も記録再生装置の小型化にとって重要な特性である。図３のディスク構造にすると、ディスク上下両方向からチャッキングして一定のクランピング力を保証しなければならないからであり、このように上下両方からのチャッキング方法を用いると装置が大型化する嫌いがあるからである。また、ホログラム記録媒体の製造工程においては材料の均一充填、気泡発生防止などの技術も要求される。近年では、カートリッジ内部に複数枚のディスクを収納するディスクカートリッジも提案されているため、記録媒体自体の厚みもカートリッジに何枚のディスクを収納することができるかという点に関し重要なファクターとなっている。本実施形態によるホログラム記録媒体によれば、以上のような要求を全て満足させることができる。
【００４４】
図２は、本発明による別の実施形態のホログラム記録媒体の構成を示す図である。図２と図１との相違点は、図１の構成では金属プレート又は下基板１０４と同等の剛性を有するプレートを収納するための凹形状を有するプレート収納部１０９を備え、そこに金属プレート１０７を収納するようにしたが、図２では下基板を、図示するように凹形状のチャッキング部１１０を有するようになっている。この下基板１０４は、一体射出成型によって生成される。
【００４５】
この実施形態に係る構成は、磁石でチャッキングのクランプ力を補強する必要がない場合に適用するのが望ましい。このような構成にすることにより、図１に示されるプレート１０７をプレート収納部１０９に収納する工程を省くことができる。
【００４６】
＜ホログラム記録媒体１０１の製造方法について＞
（１）第１の方法
まず、下基板１０４を用意する。この下基板１０４は、上述のように、凸形状の載置面１０８と凹形状のプレート収納部１０９を有している。
【００４７】
そして、そのプレート収納部１０９に金属或いは下基板と同等以上の剛性を有するプレート１０７を収納する。このプレート１０７の径は、プレート収納部１０９の径より少しだけ小さく設定されているので、プレート１０７は変形も無くプレート収納部１０９にぴったりと嵌るようになっている。したがって、プレートを固定するのに接着剤が必要ではなく、製造工程が簡単である。
【００４８】
次に、プレート１０７を収容した下基板１０４を固定した状態で、ホログラム記録材料１０２を下基板１０４上に流し込む。
【００４９】
さらに、上基板１０３を用意し、位置決めした後、流し込んだホログラム記録材料１０２を所定の圧力で押下して記録媒体１０１全体を所定の厚さに調整する。所定の厚さになったら記録媒体全体をその厚さに固定する。
そして、最後に媒体側面を封止フィルム１０６で封止する。
【００５０】
（２）第２の方法
まず、下基板１０４を用意し、プレート収納部１０９にプレート１０７を収納する。
そして、プレート１０７を収納した下基板１０４と上基板１０３とを冶具に所定の間隔を持たせて固定する。
【００５１】
次に、上基板１０３のホログラム材料注入口から所定量ホログラム材料を注入する。
注入したホログラム材料が全体に満遍なく広がり、充填が完了したら、上基板の封止フィルム１０５でホログラム材料注入口を封止し、さらに、媒体側面を封止フィルム１０６で封止する。
【００５２】
第１及び第２の方法は、双方とも、一定の環境下（例えば、安全光下、適当な温度及び湿度等）で行わなければならない。
【００５３】
＜実施形態の効果（まとめ）＞
本実施形態におけるホログラム記録媒体１０１は、ホログラム記録媒体用円盤基板の中央部、ホログラム記録材料と接する面側に金属プレートを有する。金属プレートは加工上金属が好ましいが、水分を透過せず、下基板１０４と同等以上の剛性を有すれば、何れの材料でもよく、ホログラム記録材料が外気環境と直接接することなく配置され、ホログラム記録材料の湿度劣化を防止することが出来る。
【００５４】
また、ホログラム記録媒体１０１は、円盤基板の中央部、ホログラム記録材料と接する面側に凹形状（プレート収納部１０９）をなす。さらに前記金属プレートがこの凹部に収まる形状とする。このことにより、記録材料注入時に前記金属プレートが記録材料の流れによって移動するのを防止することが出来る。
【００５５】
さらに、ホログラム記録媒体１０１は、円盤基板の凹部の反対面（媒体載置面１０８）に凸部を有する。円盤基板凹部と相対する面を僅かな凸形状とすることにより、カートリッジ内部に複数の記録媒体を収納した際、お互いに貼り付き合うのを防止できる。更に副次的な効果として、ハブ付きホログラム記録媒体では、ハブがインサート成形によって作製されるために、ハブ厚みに制限があり、薄肉化には限界があったが、本ホログラム記録媒体では、基板形状凸部の凸量によって、記録媒体の薄肉化を図ることが出来る。通常、この凸量は０．５ｍｍ程度に設定されている。
【００５６】
また、ホログラム記録媒体１０１が有する金属プレート１０７は磁性金属により構成される。このことにより、スピンドルへの記録媒体チャッキング時にクランプ力を補助することが出来る。
【００５７】
ホログラム記録媒体１０１が有する金属プレート１０７は凸形状をとる。これにより、スピンドルヘッドと金属プレート間にクリアランスが生じ、ホログラム記録媒体チャック時にスピンドルヘッドと金属プレート１０７との干渉がなくなる。なお、凸形状にスロープを持たせることによって空気の巻き込みを抑えることができるので、記録材料注入時の気泡発生の防止が期待できる。
【００５８】
また、ホログラム記録媒体１０１が有する金属プレート１０７は、ホログラム記録材料自身の硬化によって、ホログラム記録媒体に固定される構造をとる。これにより、従来必要であったハブ接着工程が必要なくなり、工程の簡素化が図れる。本実施形態では、ホログラム記録媒体１０１からハブ（例えば図４の３０６）を除去したが、ホログラム記録媒体が記録再生装置に装着されるのに困難は生じない。ホログラム記録媒体用基板の内径孔によって、ホログラム記録媒体は保持され得るし、スピンドルとの芯合わせも可能である。
【図面の簡単な説明】
【００５９】
【図１】本発明による実施形態に係るホログラム記録媒体の断面図である。
【図２】本発明による別の実施形態に係るホログラム記録媒体の断面図である。
【図３】従来のハブ無しタイプのホログラム記録媒体の斜視図及び断面図である。
【図４】従来のハブ付きタイプのホログラム記録媒体の斜視図である。
【符号の説明】
【００６０】
１０１  ホログラム記録媒体
１０２  ホログラム記録材料
１０３  平坦円盤基板（上基盤）
１０４  段差円盤基板（下基盤）
１０５  内周封止フィルム
１０６  外周封止フィルム
１０７  金属プレート
２０１  ハブ無しホログラム記録媒体
２０２  ホログラム記録材料
２０３  円盤基板
２０４  ２０５  封止用フィルム
３０１  ハブ付きホログラム記録媒体
３０２  ホログラム記録材料
３０３  円盤基板
３０６  ハブ
【図１】
2007272069.tif 000003
【図２】
2007272069.tif 000004
【図３】
2007272069.tif 000005
【図４】
2007272069.tif 000006